(57)【要約】【課題】塵埃掻き取り性能に優れた空気調和機用清掃装置を提供する。【解決手段】空気調和機の室内機２０に内蔵されたエアフイルター２１に付着した塵埃を除去する清掃体３４を備え、前記清掃体３４を、前記エアフイルター２１の、裏側に配された従動プーリー２８で湾曲された部分の表側に当接させたもので、エアフイルター２１の清掃体３４が摺接する部分の裏側に従動プーリー２８があるため、エアフイルター２１の表側の面に付いた塵埃が清掃体３４によって裏側に押しやられることが無いので、塵埃を確実に除去することが出来る。【選択図】図２
2008111590.tif 000002
【特許請求の範囲】
【請求項１】
空気調和機に内蔵されたエアフイルターに付着した塵埃を除去する清掃体を備え、前記清掃体を、前記エアフイルターの、裏側に配されたバックアップ手段で湾曲された部分の表側に当接させた空気調和機用清掃装置。
【請求項２】
空気調和機内のプーリーに張架され少なくとも一方向に移動可能なエアフイルターに付着した塵埃を除去する清掃体を備え、前記清掃体を、前記エアフイルターの前記プーリーに張架されて湾曲した部分に当接させた空気調和機用清掃装置。
【請求項３】
清掃体を回転駆動する駆動手段と、前記清掃体で掻き取られた塵埃を収納する集塵ボックスとを備えた請求項１又は２に記載の空気調和機用清掃装置。
【請求項４】
熱交換器と、前記熱交換器の上流側に配され流入する空気に含まれる塵埃を捕獲すると共にプーリーに張架され少なくとも一方向に移動可能なエアフイルターと、請求項１〜３のいずれか１項に記載の空気調和機用清掃装置を備えた空気調和機。
【発明の詳細な説明】
【技術分野】
【０００１】
本発明は、空気調和機に取り付けられエアフィルターの清掃を行う空気調和機用清掃装置と、それを用いた空気調和機に関するものである。
【背景技術】
【０００２】
従来のこの種の空気調和機用清掃装置として、図８に示すようなものがあった（例えば、特許文献１参照）。
図８（ａ）は、上記特許文献１に記載された従来の空気調和機用清掃装置を搭載した空気調和機の室内機本体の断面図である。
【０００３】
図８において、室内機本体１内には、熱交換器２と、室内の空気を取り入れる吸込口３と、前記熱交換器２と前記吸込口３の間に設けられたベルト状のエアフィルター４と、このエアフィルター４を張設した駆動軸６および従動軸７と、前記駆動軸６を回転駆動するサーボモーター５と、前記フィルター４で捕集された塵埃を除去する空気調和機用清掃装置８と、前記吸込口３から室内の空気を吸引し、熱交換器２を通して吹き出し口９から、熱交換された空気を室内に吹き出すファン１０とを備えている。
【０００４】
空気調和機用清掃装置８は、ロータ１１ａとそのロータ１１ａの外周の長手方向に設けられたブラシ状の清掃体１１ｂからなる清掃体１１と、前記清掃体１１を回転駆動する駆動手段（図示せず）と、前記吸込口３と連通すると共に前記清掃体１１を内設し排出口１２を有する排気管１３と、前記排気管１３内に設けられた塵埃排出用ファン１４から構成されている。
【０００５】
上記のように構成された従来の空気調和機用清掃装置及び空気調和機の動作、作用は以下の通りである。
【０００６】
室内機本体１を、例えば、冷房運転すると、ファン１０により室内の空気が吸込口３から流入し、エアフィルター４を通って熱交換器２に至り、そこで冷却され、冷たい空気が吹き出し口９から室内に吹き出される。吸引される室内の空気に含まれる塵埃は、前記エアフィルター４で捕集され、フィルター４の表面に堆積する。エアフィルター４の表面に塵埃が堆積してくると、空気の通気圧損が増加し、熱交換効率が低下してくるので、定期的に或いは、必要に応じて、エアフィルター４上の塵埃の除去運転が必要となる。
【０００７】
塵埃の除去運転は、サーボモーター５を運転して駆動軸６を回転させてベルト状のフィルター４を連続的に移動させながら、その間に清掃体１１を回転させると共に塵埃排出用ファン１４を運転するもので、エアフィルター４上の塵埃が、清掃体１１の清掃体１１ｂで掻き取られ、掻き取られた塵埃は、塵埃排出用ファン１４により吸引され、排出口１２より室外に排出されるようになっている。
【特許文献１】特開平６−７４５２１号公報
【発明の開示】
【発明が解決しようとする課題】
【０００８】
しかしながら、上記従来の空気調和機用清掃装置の構成では、エアフィルター４の、清掃体１１の清掃体１１ｂが摺接する部分の裏側が空いているので、図８（ｂ）に示すように、エアフィルター４の表側の面に付着した塵埃が清掃体１１ｂによって、エアフィルター４の網目を通して裏面に押しやられ、塵埃がきれいに取れないという課題があった。
【０００９】
本発明は、上記従来の課題を解決するもので、塵埃の掻き取り性能に優れた空気調和機用清掃装置と、空気調和機を提供することを目的とするものである。
【課題を解決するための手段】
【００１０】
前記従来の課題を解決するために、本発明の空気調和機用清掃装置は、空気調和機に内蔵されたエアフイルターに付着した塵埃を除去する清掃体を備え、前記清掃体を、前記エアフイルターの、裏側に配されたバックアップ手段で湾曲された部分の表側に当接させたもので、エアフイルターの清掃体が摺接する部分の裏側にバックアップ手段があるため、エアフイルターの表側の面に付いた塵埃が清掃体によって裏側に押しやられることが無いので、塵埃を確実に除去することが出来る。
【００１１】
また、本発明の空気調和機用清掃装置は、空気調和機内のプーリーに張架され少なくとも一方向に移動可能なエアフイルターに付着した塵埃を除去する清掃体を備え、前記清掃体を、前記エアフイルターの前記プーリーに張架されて湾曲した部分に当接させたもので、エアフイルターの清掃体が摺接する部分の裏側にプーリーがあるため、エアフイルターの表側の面に付いた塵埃が清掃体によって裏側に押しやられることが無く、移動するエアーフイルターの表面の塵埃を連続的に、かつ確実に除去することができる。
【００１２】
また、本発明の空気調和機は、熱交換器と、前記熱交換器の上流側に配され流入する空気に含まれる塵埃を捕獲すると共にプーリーに張架され少なくとも一方向に移動可能なエアフイルターと、請求項１〜３のいずれか１項に記載の空気調和機用清掃装置を備えたもので、塵埃掻き取り性能に優れた空気調和機用清掃装置を用いることにより、空気調和機のエアフイルターを常にきれいに保つことが出来るので、空調性能に優れた空気調和機を提供することが出来る。
【発明の効果】
【００１３】
本発明の空気調和機用清掃装置及び空気調和機は、塵埃の掻き取り性能に優れたものである。
【発明を実施するための最良の形態】
【００１４】
第１の発明は、空気調和機に内蔵されたエアフイルターに付着した塵埃を除去する清掃体を備え、前記清掃体を、前記エアフイルターの、裏側に配されたバックアップ手段で湾曲された部分の表側に当接させたもので、エアフイルターの清掃体が摺接する部分の裏側にバックアップ手段があるため、エアフイルターの表側の面に付いた塵埃が清掃体によって裏側に押しやられることが無いので、塵埃を確実に除去することが出来る。
【００１５】
第２の発明は、空気調和機内のプーリーに張架され少なくとも一方向に移動可能なエアフイルターに付着した塵埃を除去する清掃体を備え、前記清掃体を、前記エアフイルターの前記プーリーに張架されて湾曲した部分に当接させたもので、エアフイルターの清掃体が摺接する部分の裏側にプーリーがあるため、エアフイルターの表側の面に付いた塵埃が清掃体によって裏側に押しやられることが無く、移動するエアーフイルターの表面の塵埃を連続的に、かつ確実に除去することができる。
【００１６】
第３の発明は、特に、第１又は第２の発明の清掃体を回転駆動する駆動手段と、前記清掃体で掻き取られた塵埃を収納する集塵ボックスとを備えたもので、清掃体で除去された塵埃が集塵ボックスに収納されるので、塵埃の廃棄、メンテナンスが容易である。又、塵埃を吸引すると共に外部にそれを排出するための吸引装置などが不要なので、小型、低騒音で、しかも衛生的である。
【００１７】
第４の発明は、熱交換器と、前記熱交換器の上流側に配され流入する空気に含まれる塵埃を捕獲すると共にプーリーに張架され少なくとも一方向に移動可能なエアフイルターと、請求項１〜３のいずれか１項に記載の空気調和機用清掃装置を備えたもので、塵埃掻き取り性能に優れた空気調和機用清掃装置を用いることにより、空気調和機のエアフイルターを常にきれいに保つことが出来るので、空調性能に優れた空気調和機を提供することが出来る。
【００１８】
以下、本発明の実施の形態について、図面を参照しながら説明する。なお、この実施例によって本発明が限定されるものではない。
【００１９】
（実施例１）
本発明の第１の実施例における空気調和機用清掃装置およびそれを搭載した空気調和機について図１〜７を用いて説明する。
【００２０】
図１は、本実施例における空気調和機用清掃装置を搭載した空気調和機の室内機の斜視図、図2は、同室内機の概略断面図である。
【００２１】
図１、２において、３０は、本実施例における空気調和機用清掃装置で、室内に設置された空気調和機の室内機２０に、前方より着脱自在に装着されると共に、室内機２０に内蔵されたエアーフィルター２１の表面に付着した塵埃を除去するための清掃体３４を内蔵している。
【００２２】
室内機２０の前面には、室内の空気を取り入れるための吸込口２２ａを有する前面パネル２２が設けられ、その吸込口２２ａの下流側に、エアーフィルター２１、室内の空気を熱交換する熱交換器２３、ファン２４が順に配され、ファン２４を運転すると、室内の空気が、吸込口２２ａから吸引され、熱交換器２３で熱交換された後、吹出口２５から室内に吹き出される。
【００２３】
エアーフィルター２１は、図２に示すように、ベルト状に形成されると共に、図示しないモーターと減速装置からなる駆動手段２６で回転駆動される駆動プーリー２７と、従動プーリー２８間に張架されている。本実施例では、同じく図２に示すように、清掃体３４を、エアフイルター２１の、従動プーリー２８に張架されて湾曲した部分の表面に摺接させて、エアフイルター２１の表面に付着した塵埃を掻き取るようにしている。
【００２４】
次に、空気調和機用清掃装置３０の詳細について図３〜７を用いて説明する。
【００２５】
図３は、空気調和機用清掃装置の斜視図、図４は、同空気調和機用清掃装置の分解図、図５は、同空気調和機用清掃装置の塵埃移送手段の構成を示す展開図、図６は、図３のＡ−Ａ断面図である。
【００２６】
図３〜６において、空気調和機用清掃装置３０は、カバー上３１と、カバー下３２からなり、室内機２０に着脱自在で、塵埃を収納する集塵ボックス３３と、集塵ボックス３３に回転自在に、かつ着脱自在に収納された清掃体３４と、清掃体３４で掻き取られ集塵ボックス３３内に溜まった塵埃を、集塵ボックス３３の長手方向に沿って移送させる塵埃移送手段３６と、カバー上３１の内壁に長手方向に一体に略櫛状に形成され、清掃体３４に付着した塵埃を掻き取る塵埃除去手段３７を備えている。
【００２７】
塵埃移送手段３６は、図４、５に示すように、カバー上３１の上面をスライド自在のつまみ４０と、つまみ４０の底面に垂下形成されたリブ４０ａが挿入嵌合される受け部４１ａを有する移送板４１から構成されている。４２は、カバー上３１に設けられ、つまみ４０のリブ４０ａをガイドするスリットで、４３は、つまみ４０のリブ４０ａが貫通するスリット４３ａを有すると共に、カバー上３１の裏面に貼着されるシール部材で、カバー上３１のスリット４２から、外気が流入するのを防止するためのものである。
【００２８】
又、カバー上３１の一側には、内部に溜まった塵埃を排出するための塵埃排出口４５と、その塵埃排出口４５を開閉する蓋体４６が開閉自在に設けられている。この蓋体４６の側面には、蓋体４６を開ける際に指を引っ掛けるための凹部４７が設けられている。なお、蓋体４６を、カバー上３１に着脱自在に、或いは、開閉自在で、しかもこじると簡単に外れるようにして設けても良い。
【００２９】
次に、清掃体３４の詳細について、図７を用いて述べる。
【００３０】
図７（ａ）は、清掃体３４及び室内機２０の一部の斜視図、（ｂ）は、同清掃体３４の製法を示す図である。
【００３１】
図７において、清掃体３４は、棒状で金属材料からなる軸体５１と、軸体５１の外周に螺旋状に巻き付けられると共に、基布５２ａと、基布５２ａに植毛されたブラシ部５２ｂからなる起毛布５２と、軸体５１の両側に設けられ軸体５１を回転自在に保持すると共に、カバー上３１に装着される軸受け体５３と、軸体５１の一端に固着され、空気調和機用清掃装置３０を室内機２０の前方より装着したときに、室内機２０側に設けられた駆動手段Ａ５４で回転駆動されるギアーＡ５５と噛み合うギアーＢ５６とから構成されている。清掃体３４が、集塵ボックス３３に装着された状態では、塵埃除去手段３７の先端が清掃体３４のブラシ部５２ｂに食い込んでいる。
【００３２】
又、本実施例では、軸体５１に巻きつけられた起毛布５２の全幅寸法（有効清掃幅寸法Ｌ）を５００ｍｍ以上としている。
【００３３】
なお、本実施例では、上述のように、軸体５１を１本の棒状部材で形成しているが、複数本に分割して、それらを螺子嵌合や、圧入等で繋ぐようにしても良い。そのようにすれば、軸体５１の運搬が容易で、しかも梱包形態も簡素化される。
【００３４】
また、軸体５１を、パイプのような中空の部材で形成すれば、軸体５１の質量が低減し、清掃体３４、ひいては、空気調和機用清掃装置３０の軽量化を図ることが出来る。
【００３５】
以上のように構成された本実施例における空気調和機用清掃装置３０及びそれを搭載した空気調和機の室内機２０の動作、作用は以下の通りである。
【００３６】
図１に示すように、予め、空気調和機用清掃装置３０を、空気調和機の室内機２０の所定に箇所に装着しておく。この状態では、図２及び６に示すように、空気調和機用清掃装置３０に内蔵された清掃体３４のブラシ部５２ｂの先端がエアフィルター２１の表面に当接している。
【００３７】
又、空気調和機用清掃装置３０のつまみ４０を操作して、移送板４１を、集塵ボックス３３の塵埃排出口４５と反対側の端部に寄せておく。
【００３８】
そして、室内機２０を例えば、冷房運転すると、ファン２４の運転により室内の空気が吸込口２２ａから流入し、エアフィルター２１を通って熱交換器２３に至り、そこで冷却され、冷たい空気が吹出口２５から室内に吹き出される。吸込口２２ａから吸引される室内の空気に含まれた塵埃は、エアフィルター２１で捕獲され、そのエアフィルター２１の表面に次第に堆積していく。エアフィルター２１の表面に塵埃が堆積してくると、空気の通気圧損が増加し、熱交換器２３での熱交換効率が低下してくるので、定期的に或いは、必要に応じて、エアフィルター２１に堆積した塵埃の除去運転が必要となる。
【００３９】
そこで、本実施例では、塵埃の除去運転を開始すると、図２、図６に示すように、駆動手段２６により駆動プーリー２７が反時計方向に回転し、エアフィルター２１が矢印Ａ方向に移動を開始する。同時に、空気調和機用清掃装置３０の清掃体３４が、同じく反時計方向（矢印Ｂ）に回転させることにより、エアフィルター２１の表面に付着していた塵埃３５が清掃体３４のブラシ部５２ｂにより掻き取られ、集塵ボックス３３内にこぼれ落ちる。同時に、ブラシ部５２ｂ上に取り残された塵埃は、櫛状の塵埃除去手段３７により、除去される。
【００４０】
この塵埃除去運転は、ベルト状のエアフィルター２１が半周すなわち、エアフィルター２１の前側半分が、後ろ側に移動するまで行なわれる。通常、エアフィルター２１の後ろ側半分には、塵埃がほとんど堆積しないので、塵埃除去運転を終えた時点で、エアフィルター２１のきれいな後ろ側半分が、前側に移動している。
【００４１】
何度か、上記塵埃除去運転を行なうと、空気調和機用清掃装置３０の集塵ボックス３３内に塵埃が堆積してくるので、それを廃棄する必要がある。
【００４２】
本実施例における塵埃廃棄作業は以下のようにして行なわれる。
【００４３】
まず、空気調和機用清掃装置３０を室内機２０から取り外す。次に、つまみ４０を操作して、移送板４１を塵埃排出口４５側に移動させる。この動作により、集塵ボックス３３内の塵埃が圧縮されながら、一塊になって、塵埃排出口４５側に移動し、最後に、ゴミ箱（図示せず）上で、蓋体４６を開けると、塵埃が圧縮されながら、一塊になって自重で、ゴミ箱内に落下し、塵埃廃棄作業を終える。そして、つまみ４０を再度操作して、移送板４１を塵埃排出口４５と反対側に移動させた後、空気調和機用清掃装置３０を、室内機２０の所定の場所に再度装着する。
【００４４】
なお、上記実施例では、集塵ボックス３３内の塵埃を廃棄する時に、つまみ４０を操作するように説明したが、空気調和機用清掃装置３０を室内機２０に装着したままの状態で、時々つまみ４０を往復操作させて、集塵ボックス３３内の塵埃を圧縮して塵埃排出口４５側に寄せて置くようにしても良い。こうすれば、より多くの塵埃を集塵ボックス３３内に溜めておけるので、塵埃の廃棄頻度が減り、メンテナンスが容易になるものである。
【００４５】
以上のように、本実施例によれば、エアフイルター２１の清掃体３４が摺接する部分の裏側に配置された従動プーリー２８が、エアフイルター２１を裏側から清掃体３４に押し付けるように湾曲させるバックアップ手段として機能するので、清掃体３４が回転してブラシ部５２ｂがエアフイルター２１の表面を擦っても、エアフイルター２１の表側の面に付いた塵埃３５が裏側に押しやられることが無く、しかも、エアフイルター２１の従動プーリー２８で湾曲された部分では、エアフイルター２１の網目が広がるためさらに塵埃３５が取れやすくなり、エアフイルター２１に付着した塵埃３５を確実に掻き取ることができる。又、その塵埃３５が集塵ボックス３３に収納されるので、塵埃３５の廃棄、メンテナンスが容易である。また、塵埃移送手段３６で、集塵ボックス３３内の塵埃３５を一方に移送すると、塵埃３５が圧縮されるので、集塵ボックス３３内に多量の塵埃３５を溜めておけるようになり、集塵ボックス３３内の塵埃３５の廃棄頻度が減り、塵埃３５の廃棄作業が軽減される。又、塵埃３５を吸引すると共に外部にそれを排出するための吸引装置などが不要なので、小型、低騒音で、しかも衛生的である。
【００４６】
又、清掃体３４は、集塵ボックス３３内に着脱自在に収納されると共に、前記集塵ボックス３３を空気調和機の室内機２０に対し着脱自在なので、一般に高所に設置された室内機２０から集塵ボックス３３を容易に取り外すことができ、集塵ボックス３３内の塵埃３５の廃棄が容易で、しかも清掃体３４を集塵ボックス３３から容易に取り出せるので、清掃体３３にこびりついた塵埃３５の除去、清掃も容易になる。
【００４７】
又、集塵ボックス３３に塵埃排出用の塵埃排出口４５を設け、その塵埃排出口４５を塞ぐ蓋体４６を着脱自在または／及び開閉自在に設けたので、集塵ボックス３３内に堆積した塵埃３５を、塵埃移送手段３６で、塵埃排出口４５まで移送すると、その間に塵埃が圧縮されると共に、蓋体４６を開放すると、圧縮された塵埃３５が一箇所の塵埃排出口４５から排出されるので、廃棄時に、塵埃３５が周囲に飛び散ることが無く、衛生的である。
【００４８】
さらに、清掃体３４に付着した塵埃を除去する塵埃除去手段３７を設けたことにより、清掃体３４を常にきれいに保つことができ、塵埃掻き取り性能が低下することが無く、また、清掃体３４で掻き取られた塵埃３５が、エアフイルター２１に再付着することも無く、塵埃除去性能が向上する。
【００４９】
又、清掃体３４を、棒状の軸体５１と、軸体５１に螺旋状に巻き付けられると共に基布５２ａと、基布５２ａに植毛されたブラシ部５２ｂからなる起毛布５２とで構成したことにより、清掃体３４の製造が容易になり、空気調和機用清掃装置３０を安価に形成することができる。
【００５０】
又、軸体５１に巻きつけられた起毛布５２の全幅寸法（有効清掃幅寸法）を５００ｍｍ以上としたことにより、空気調和機の室内機２０に内設された幅の広いエアフイルター２１の全幅に渡って、ブラシ部５２ｂが当たるので、清掃体３４を超低速（例えば、１０ＲＰＭ程度）で回転させても十分均一にエアフイルター２１を清掃することができ、しかも清掃体３４の回転時の騒音を低減することができる。
【００５１】
なお、上記実施例では、清掃体３４を回転させるようにしたが、これに限定するものではなく、固定しても良い。すなわち、清掃体３４を、例えば、歯ブラシ状に形成しそのブラシの先端を、駆動・従動プーリー２７、２８に張架されて移動するエアフイルター２１に当接しても良い。
【００５２】
さらに、空気調和機の室内機２０に、塵埃掻き取り性能に優れ、小型、低騒音で、しかもメンテナンスが容易な上記空気調和機用清掃装置３０を用いることにより、エアフイルター２１を常にきれいに保つことが出来るので、空調性能に優れ、しかもメンテナンスの容易な空気調和機を提供することが出来る。
【産業上の利用可能性】
【００５３】
以上のように、本発明にかかる空気調和機用清掃装置は、塵埃掻き取り性能に優れたもので、家庭用、業務用の各種空気調和機は勿論、空気清浄機、換気装置などエアフィルターを有する各種機器に適用できるものである。
【図面の簡単な説明】
【００５４】
【図１】本発明の第１の実施例における空気調和機用清掃装置を搭載した空気調和機の室内機の斜視図
【図２】同室内機の概略断面図
【図３】同空気調和機用清掃装置の斜視図
【図４】同空気調和機用清掃装置の分解図
【図５】同空気調和機用清掃装置の塵埃移送手段の構成を示す展開図
【図６】図３のＡ−Ａ断面図
【図７】（ａ）清掃体及び室内機の一部の斜視図、（ｂ）同清掃体の製法を示す図
【図８】（ａ）従来の空気調和機用清掃装置を搭載した空気調和機の室内機の断面図、（ｂ）同空気調和機の要部拡大断面図
【符号の説明】
【００５５】
２０  室内機（空気調和機）
２１  エアフィルター
２３  熱交換器
２４  ファン
２５  吹出口
２７  駆動プーリー（プーリー）
２８  従動プーリー（プーリー、バックアップ手段）
３０  空気調和機用清掃装置
３３  集塵ボックス
３４  清掃体
３５  塵埃
３６  塵埃移送手段
３７  塵埃除去手段
４０  つまみ
４１  移送板
４５  塵埃排出口
４６  蓋体
【図１】
2008111590.tif 000003
【図２】
2008111590.tif 000004
【図３】
2008111590.tif 000005
【図４】
2008111590.tif 000006
【図５】
2008111590.tif 000007
【図６】
2008111590.tif 000008
【図７】
2008111590.tif 000009
【図８】
2008111590.tif 000010